(57)【要約】【課題】  指針軸に指針を圧入する時の荷重をケース本体で受けることなく、かつ、ケース本体内の潤滑剤などの液体の漏れを防止することが可能な計器用駆動装置を提供する。【解決手段】  各々貫通した第１の軸受部１３と第２の軸受部１４とを備えたケース本体１２と、第１の軸受部１３と第２の軸受部１４とによって回動自在に軸支されるとともにケース本体１２より外部に突出した一部に指針が取り付けられる指針軸６と、を備えた計器用駆動装置１において、第２の軸受部１４に圧入保持されるとともに指針軸６の軸方向の移動を規制する軸受体１６を備え、第２の軸受部１４は、指針軸６を回動自在に軸支する軸支部１４ａと、軸受体１６が圧入保持される保持部１４ｂとを備え、軸支部１４ａに対して保持部１４ｂの直径を小さくしたものである。【選択図】  図３
2011022107.tif 000002
【特許請求の範囲】
【請求項１】
各々貫通した第１の軸受部と第２の軸受部とを備えたケース本体と、前記第１の軸受部と前記第２の軸受部とによって回動自在に軸支されるとともに前記ケース本体より外部に突出した一部に指針が取り付けられる指針軸と、を備えた計器用駆動装置において、前記第２の軸受部に圧入保持されるとともに前記指針軸の軸方向の移動を規制する軸受体を備え、前記第２の軸受部は、前記指針軸を回動自在に軸支する軸支部と、前記軸受体が圧入保持される保持部とを備え、前記軸支部に対して前記保持部の直径を小さくしたことを特徴とする計器用駆動装置。
【請求項２】
前記第２の軸受部に、前記軸受体が抜け落ちないように前記保持部よりさらに直径の小さい抜け防止部を備えたことを特徴とする請求項１に記載の計器用駆動装置。
【発明の詳細な説明】
【技術分野】
【０００１】
本発明は、計器用駆動装置に関するもので、特に、指針を取り付ける指針軸の軸受部に特徴を備えた計器用駆動装置に関するものである。
【背景技術】
【０００２】
従来の計器用駆動装置は、各々貫通した第１の軸受部と第２の軸受部とを備えたケース本体と、前記第１の軸受部と前記第２の軸受部とによって回動自在に軸支される指針軸とを備えていた。前記指針軸の一端は、前記ケース本体より外部に突出し、指針が取り付けられており、他端も、前記ケース本体より外部に突出していた。そして、前記指針軸に前記指針を圧入する場合、露出した前記指針軸の前記他端を治具に当接させて、前記指針軸に加わる圧入時の力を前記治具で受けていた。このように構成したことによって、前記指針軸に前記指針を圧入する場合に、前記ケース本体に圧入時の荷重が加わらず、前記ケース本体の損傷を防止することが可能であった（例えば、特許文献１参照）。
【先行技術文献】
【特許文献】
【０００３】
【特許文献１】特開２００４−２５１６５６号公報
【発明の概要】
【発明が解決しようとする課題】
【０００４】
しかしながら、このような計器用駆動装置は、前記指針軸の下側の端部である前記他端が、前記ケース本体より外部に突出していることによって、前記ケース本体の内部に潤滑剤などの液体を内蔵している場合に、前記ケース本体から漏れ出すといった問題点があった。
【０００５】
そこで、本発明は前述した問題点に着目し、指針軸に指針を圧入する時の荷重をケース本体で受けることなく、かつ、ケース本体内の液体の漏れを防止することが可能な計器用駆動装置を提供することを目的とする。
【課題を解決するための手段】
【０００６】
本発明は、各々貫通した第１の軸受部と第２の軸受部とを備えたケース本体と、前記第１の軸受部と前記第２の軸受部とによって回動自在に軸支されるとともに前記ケース本体より外部に突出した一部に指針が取り付けられる指針軸と、を備えた計器用駆動装置において、前記第２の軸受部に圧入保持されるとともに前記指針軸の軸方向の移動を規制する軸受体を備え、前記第２の軸受部は、前記指針軸を回動自在に軸支する軸支部と、前記軸受体が圧入保持される保持部とを備え、前記軸支部に対して前記保持部の直径を小さくしたものである。
【０００７】
また、本発明は、前記第２の軸受部に、前記軸受体が抜け落ちないように前記保持部よりさらに直径の小さい抜け防止部を備えたものである。
【発明の効果】
【０００８】
本発明によれば、所期の目的を達成することができ、指針軸に指針を圧入する時の荷重をケース本体で受けることなく、かつ、ケース本体内の液体の漏れを防止することが可能な計器用駆動装置を提供することができる。
【図面の簡単な説明】
【０００９】
【図１】本発明の一実施形態のステッピングモータの上面図。
【図２】図１中のＡ−Ａ線の断面図。
【図３】同実施形態の要部拡大断面図。
【図４】同実施形態の上ケースを取り外したステッピングモータの上面図。
【発明を実施するための形態】
【００１０】
以下、本発明の実施形態を説明する。図１から図４は、本発明の一実施形態を示すものである。
【００１１】
本実施形態の計器用駆動装置は、ステッピングモータ１であり、このステッピングモータ１は、多極着磁されたロータ磁石２と、ロータ磁石２に固定されたロータ歯車３と、ロータ歯車３と噛み合う第１の歯車４ａとこの第１の歯車４ａと同軸上に設けられた第２の歯車４ｂとを有する中間歯車４と、中間歯車４の第２の歯車４ｂと噛み合う出力歯車５と、出力歯車５の回転中心となる指針軸６と、回転磁界を発生してロータ磁石２に回転力を与える２つの励磁コイル９と、ロータ磁石２の回転中心となる金属製の第１の回転軸１０と、中間歯車４の回転中心となる金属製の第２の回転軸１１と、ロータ磁石２、ロータ歯車３、中間歯車４、出力歯車５、指針軸６、励磁コイル９、第１の回転軸１０、第２の回転軸１１を収容するケース本体１２とを有するものである。
【００１２】
ロータ磁石２は、いわゆるプラスチックマグネットと呼ばれる磁性を有する合成樹脂からなり、その形状は円盤形状で、中心に貫通孔を備えたドーナツ形状である。この貫通孔を、ロータ歯車３と第１の回転軸１０が貫通している。ロータ磁石２は、その回転軸を中心として、放射方向に均等となるように、複数の磁極を備えている。本実施形態では、Ｎ極が２つ、Ｓ極が２つの計４つの磁極を備えている。従って、第１の回転軸１０を中心の軸として、回転すると、ロータ磁石２の外周面に回転方向に沿って多極着磁されている。
【００１３】
ロータ歯車３は、磁性を備えていない合成樹脂からなる。第１の回転軸１０が、ロータ歯車３を貫通し、ロータ磁石２とロータ歯車３とは、第１の回転軸１０に回転可能に軸支されており、ロータ歯車３は、ロータ磁石２の回転に伴って回転する。
【００１４】
中間歯車４は、磁性を備えていない合成樹脂からなり、第１の歯車４ａと第２の歯車４ｂとを一体に備えている。中間歯車４は、第２の回転軸１１に回転可能に軸支されている。
【００１５】
出力歯車５も、ロータ歯車３、中間歯車４と同様に、磁性を備えていない合成樹脂からなる。出力歯車５は、指針軸６に固定されており、指針軸６とともに回転する。
【００１６】
また、図２中、出力歯車５の下側の面には、ストッパ手段１５を構成する第１の突起部１５ａが一体に設けられている。この第１の突起部１５ａは、後述する、ケース本体１２に設けた第２の突起部１５ｂと当接し、出力歯車５の回転を所定の位置で止めるものである。
【００１７】
本実施形態では、中間歯車４、出力歯車５は、ロータ磁石２の回転を減速させて伝達するものである。
【００１８】
指針軸６は、金属製で、ケース本体１２に回動自在に軸支されるとともにケース本体１２より外部に突出した一部に図示しない指針が取り付けられている。
【００１９】
励磁コイル９は、銅などの導電性を有する金属線を、合成樹脂からなるボビン９ａに巻き付けて形成したものである。励磁コイル９は、ボビン９ａに設けた端子９ｂを介して、制御手段に接続されている。
【００２０】
ボビン９ａは、断面形状が長方形の貫通孔を備えた筒体である。そして、励磁コイル９は、ロータ磁石２の周囲に配置され、ボビン９ａの前記貫通孔内に、ロータ磁石２の一部が入り込んだ状態で、ロータ磁石２の円盤面の一部と前記貫通孔の内周面が対向している。
【００２１】
２つの励磁コイル９には、図示しない制御手段から出力される駆動波形が、それぞれ入力されることによって、ロータ磁石２に回転磁界が発生し、ロータ磁石２に回転力を与えるものである。
【００２２】
ケース本体１２は、磁性を備えていない合成樹脂からなり、上ケース１２ａと下ケース１２ｂとから構成されている。上下ケース１２ａ、１２ｂに設けた係止爪１２ｃを引っ掛けることで、上下ケース１２ａ、１２ｂを固定している。下ケース１２ｂには、出力歯車５に設けた第１の突起部１５ａに当接する第２の突起部１５ｂが一体に設けられている。ケース本体１２は、指針軸６を回動可能に支持し、第１の回転軸１０と第２の回転軸１１とを圧入保持し、回転しないように固定している。
【００２３】
ケース本体１２は、指針軸６を回動自在に軸支する第１の軸受部１３と第２の軸受部１４とを備えている。第１の軸受部１３は、上ケース１２ａに設けられており、第２の軸受部１４は、下ケース１２ｂに設けられている。第１の軸受部１３と第２の軸受部１４とは、ともに貫通した孔であり、指針軸６の軸方向に対して垂直方向の断面形状は、円形である。指針軸６の一部が、第１の軸受部１３側からケース本体１２より外部に突出し、この突出した一部に前記指針が取り付けられている。
【００２４】
第２の軸受部１４は、指針軸６を回動自在に軸支する軸支部１４ａと、この軸支部１４ａの直径ｒ１より小さい直径ｒ２の保持部１４ｂとを備えている。軸支部１４ａと、保持部１４ｂとは、指針軸６の軸方向に対して垂直方向の断面形状は、円形で、それぞれの円は、同心円である。保持部１４ｂには、指針軸６と接して指針軸６の軸方向の移動を規制する金属製の球体からなる軸受体１６が、圧入保持されている。軸受体１６の下端は、下ケース１２ｂの底面１２ｄとほぼ同一か、あるいは、下ケース１２ｂの底面１２ｄよりケース本体１２の内側に位置している。
【００２５】
軸支部１４ａの直径ｒ１は、指針軸６を回動自在に軸支するために、指針軸６の直径ｒ４より大きい。保持部１４ｂの直径ｒ２は、軸受体１６を圧入保持するために、軸受体１６の直径ｒ５より小さい。また、軸支部１４ａは、指針軸６を回動時の抵抗を極力抑えるために平滑であり、軸受体１６を保持部１４ｂに圧入するために、軸受体１６を軸支部１４ａ内に挿入するときに、軸受体１６が軸支部１４ａを傷つけないように、軸受体１６の直径ｒ５は、指針軸６の直径ｒ４より小さい。要するに、軸支部１４ａの直径ｒ１、保持部１４ｂの直径ｒ２、指針軸６の直径ｒ４および軸受体１６の直径ｒ５を、直径の大きい順で、並べると、ｒ１、ｒ４、ｒ５そしてｒ２の順番となる。
【００２６】
また、第２の軸受部１４には、軸受体１６が抜け落ちないように、保持部１４ｂよりさらに直径ｒ３の小さい抜け防止部１４ｃを備えている。この抜け防止部１４ｃの直径ｒ３は、ケース本体１２の内側から外側に向かうに従って小さくなるすり鉢形状をしている。
【００２７】
指針軸６に前記指針を固定する場合、治具Ｊを下ケース１２ｂの底面１２ｄに当接させて、前記指針を指針軸６に圧入し固定する。そして、軸受体１６を介して圧入時に指針軸６に加わる力を治具Ｊで受けるものである。
【００２８】
以上のように構成したことによって、指針軸６に前記指針を圧入する場合に、ケース本体１２に圧入時の荷重が加わらず、ケース本体１２の損傷を防止することができる。さらに、軸受体１６を第２の軸受部１４に圧入保持したことによって、ケース本体１２の内部の潤滑剤が、漏れ出すといったことを防止することができる。
【００２９】
なお、本実施形態では、計器用駆動装置が、ステッピングモータであったが、ステッピングモータに限定されるものではなく、ダンパーオイルなどの液体をケース本体内に備えた交差コイル式計器本体であってもよい。
【産業上の利用可能性】
【００３０】
本発明は、ケース本体内に液体を内蔵し、指針軸に指針を圧入する計器用駆動装置に利用可能である。
【符号の説明】
【００３１】
１      計器用駆動装置（ステッピングモータ）
６      指針軸
１２      ケース本体
１３      第１の軸受部
１４      第２の軸受部
１４ａ    軸支部
１４ｂ    保持部
１４ｃ    抜け防止部
１６      軸受体
Ｊ      治具
【図１】
2011022107.tif 000003
【図２】
2011022107.tif 000004
【図３】
2011022107.tif 000005
【図４】
2011022107.tif 000006